【手続補正書】
【提出日】平成16年10月26日(2004.10.26)
【手続補正１】
【補正対象書類名】明細書
【補正対象項目名】特許請求の範囲
【補正方法】変更
【補正の内容】
【特許請求の範囲】
【請求項１】  直交周波数分割多重アクセス（ＯＦＤＭＡ）を使用して基地局と通信する複数の加入者と、
多重アクセスと、前記複数の加入者との情報交換と、を調整するためのロジックを有し、該ロジックが前記複数の加入者から収集されたフィードバックチャネル情報及び少なくとも一つの他の基地局から収集されたチャネル情報に基づいて複数のＯＦＤＭＡトラフィックチャネル候補から一組のＯＦＤＭＡトラフィックチャネルを選択する、少なくとも一つの基地局と、
を含むことを特徴とするセルラー・ネットワーク。
【請求項２】  前記ロジックが、前記基地局の空間的に分離された受信器の応答に基づいて、アップリンクチャンネル及びダウンリンクチャンネルの空間利得を計算することを特徴とする、請求項１に記載のネットワーク。
【請求項３】  前記フィードバックチャンネル情報が、前記複数のＯＦＤＭＡトラフィックチャネル候補の各々に関する、チャネルフェージング情報と、ノイズ及び干渉レベルとを含むことを特徴とする、請求項１に記載のネットワーク。
【請求項４】  前記複数の加入者が、前記少なくとも一つの基地局を含む一又は二以上の基地局のそれぞれからのサウンディング信号に応答して、前記フィードバックチャンネル情報を送ることを特徴とする、請求項１に記載のネットワーク。
【請求項５】  前記少なくとも一つの基地局を含む複数の基地局が、協働して、各アクセス中の加入者のための選択されたトラフィックチャネルのＳＩＮＲに基づいて、変調と符号化方式との組み合わせを選択することを特徴とする、請求項１に記載のネットワーク。
【請求項６】  前記ロジックが、媒体アクセス制御（ＭＡＣ）ロジックを含むことを特徴とする、請求項１に記載のネットワーク。
【請求項７】  複数の加入者にサウンディング信号を送る段階と、
複数のＯＦＤＭＡトラフィックチャネルに関するチャネル状態情報を受け取る段階と、
前記チャネル状態情報と、複数の加入者に関するアップリンク信号及びダウンリンク信号の推定空間利得に基づいて、前記複数の加入者に対して前記複数のＯＦＤＭＡトラフィックチャネルからトラフィックチャネルを割り当てる、ＯＦＤＭＡマルチユーザトラフィックチャネル割り当てを行う段階と、
を含む方法。
【請求項８】  前記チャネル状態情報が、前記複数のＯＦＤＭＡトラフィックチャネルに関する、推定チャネル利得とチャネル干渉とに関する情報を含むことを特徴とする、請求項７に記載の方法。
【請求項９】  前記トラフィックチャネル割り当てを行う段階が、基地局の一つ又はそれ以上のアンテナと加入者位置の一つ又はそれ以上のアンテナとの間のチャネル状態に基づくことを特徴とする、請求項７に記載の方法。
【請求項１０】  前記アップリンク信号及びダウンリンク信号に関する空間利得を推定する段階を更に含むことを特徴とする、請求項７に記載の方法。
【請求項１１】  前記アップリンク信号及びダウンリンク信号に関する信号対干渉雑音比（ＳＩＮＲ）を推定する段階を更に含み、チャネル割り当てを行う段階が、前記アップリンク信号及びダウンリンク信号のＳＩＮＲに基づくことを特徴とする、請求項１０に記載の方法。
【請求項１２】  前記アップリンク信号及びダウンリンク信号に関する信号対干渉雑音比（ＳＩＮＲ）を推定する段階が、全てのアクティブな加入者及びアクセス中の加入者に対して、全ＯＦＤＭＡトラフィックチャネル上で行われることを特徴とする、請求項１１に記載の方法。
【請求項１３】  チャネル割り当てを行う段階が、ＱｏＳ（ｑｕａｌｉｔｙ  ｏｆ  ｓｅｒｖｉｃｅ）要件に基づくことを特徴とする、請求項１１に記載の方法。
【請求項１４】  前記ＱｏＳ要件が、データ転送速度、タイムアウト、ビットエラー率、及び書込み時間の内の、一つ又はそれ以上を含むことを特徴とする、請求項１３に記載の方法。
【請求項１５】  チャネル割り当てを行う段階が、優先順位に基づくことを特徴とする、請求項１３に記載の方法。
【請求項１６】  チャネル割り当てを行うときに、符号化と変調方式との組み合わせを決定する段階を更に含むことを特徴とする、請求項７に記載の方法。
【請求項１７】  トラフィックチャネル割り当てを行う段階は、複数の基地局が前記トラフィックチャネル割り当てを行うために調整する段階を含むことを特徴とする請求項７に記載の方法。
【請求項１８】  前記複数の基地局の各々がセル内にあり、アクセス中の加入者に関して、全ＯＦＤＭＡトラフィックチャネルにわたってアップリンク信号及びダウンリンク信号のＳＩＮＲを推定することを特徴とする、請求項１７に記載の方法。
【請求項１９】  前記複数の基地局が、アクティブな加入者及びアクセス中の加入者に対して推定を行うことを特徴とする、請求項１８に記載の方法。
【請求項２０】  前記サウンディング信号が、全方向性であることを特徴とする、請求項７に記載の方法。
【請求項２１】  アップリンク信号及びダウンリンク信号に関する空間利得を推定する段階が、
アクセス中の各加入者に対して、前記複数のＯＦＤＭＡトラフィックチャネルにわたって広帯域空間チャネルを推定する段階と、
前記複数のＯＦＤＭＡトラフィックチャネルの各々で、アップリンク信号及びダウンリンク信号の空間処理利得を判定する段階と、
前記空間処理利得を、一つ又はそれ以上の加入者からフィードバックされたダウンリンク信号強度に追加することによって、利用可能なＯＦＤＭＡトラフィックチャネルの各々にわたる空間処理で、アップリンク送信及びダウンリンク送信の信号対干渉雑音比(ＳＩＮＲ)を予測する段階と、
を含むことを特徴とする、請求項７に記載の方法。
【請求項２２】  空間的に分散された加入者で測定された、チャネル特性と雑音及び干渉情報とを受け取る段階と、
少なくとも一つの基地局のチャネル特性情報を受け取る段階と、
受け取った、空間的に分散された加入者で測定されたチャネル特性と雑音及び干渉情報と、少なくとも一つの基地局からのチャネル特性情報とに基づいて、直交周波数分割多重アクセス（ＯＦＤＭＡ）ネットワークのトラフィックチャネルを割り当てる段階と、
を含むことを特徴とする方法。
【請求項２３】  トラフィックチャネルを割り当てる段階が、空間多重化を使用する前記ＯＦＤＭＡネットワークに関して行われることを特徴とする、請求項２２に記載の方法。
【請求項２４】  複数の加入者の各々が、サウンディング信号に応答して一組のＯＦＤＭＡトラフィックチャネルのチャネル利得及と雑音及び干渉レベルとを推定する段階と、
前記多数の加入者が、測定されたチャネルと雑音及び干渉情報とを基地局に送る段階と、
前記測定されたチャネルと雑音及び干渉情報及び前記第一の基地局以外の第二の基地局を含む複数の基地局からのチャネル情報に応答して割り当てられた一又は二以上のＯＦＤＭＡトラフィックチャネルの割り当てを受け取る段階と、
前記複数の加入者の少なくとも一人が、前記一又は二以上の割り当てられたＯＦＤＭＡトラフィックチャネルを使用してパケットを送る段階と、
を含む方法。
【請求項２５】  前記複数の加入者が、予め割り当てられたチャネル上で測定されたチャネル情報と雑音及び干渉情報とを送信することを特徴とする、請求項２４に記載の方法。
【請求項２６】  前記複数の加入者が、呼び出し時、又は前記複数の加入者の１人又はそれ以上が前記第一の基地局に送信するパケットを有するとき、前記測定されたチャネル情報と雑音及び干渉情報とを送ることを特徴とする、請求項２４に記載の方法。
【請求項２７】  チャネル及び雑音及び干渉推定器と、
前記推定器に結合されたアクセス信号発生器と、
前記発生器に結合されたＯＦＤＭＡモデムと、
複数の基地局間での協働したチャネル割り当てによって割り当てられたＯＦＤＭＡトラフィックチャネルについての情報を送信するための無線周波数（ＲＦ）送信器と、
を備える装置。
【請求項２８】  前記推定器が、予め定められた組のトラフィックチャネル内で、チャネル利得と雑音及び干渉レベルとを推定することを特徴とする、請求項２７に記載の装置。
【請求項２９】  前記発生器が、チャネルと雑音及び干渉情報とを符号化してアクセス信号を形成することを特徴とする、請求項２８に記載の装置。
【請求項３０】  前記ＯＦＤＭＡモデムが、前記アクセス信号を変調して、アクセスチャネルを介して前記アクセス信号の変調されたバージョンを送信することを特徴とする、請求項２９に記載の装置。
【請求項３１】  前記アクセスチャネルが、タイムスロット中は、全てのトラフィックチャネルの少なくともサブセットを含むことを特徴とする、請求項３０に記載の装置。
【請求項３２】  少なくとも一つの空間的に分離されたトランシーバと、
前記少なくとも一つの空間的に分離されたトランシーバに結合された、アクセス信号検出器及び復調器と、
空間チャネル及び空間利得推定器と、
アップリンク及びダウンリンク信号対干渉雑音計算器と、
広帯域空間チャネル推定器からの広帯域空間チャネル推定及び加入者からフィードバックされた測定されたチャネル情報と雑音及び干渉情報とに基づいてチャネル割り当てを判定するための、前記計算機及び前記推定器に結合されたマルチユーザトラフィックチャネル割り当て器と、
前記割り当て器に結合されたＯＦＤＭＡモデムと
を備える装置。
【請求項３３】  前記割り当て器が、アクセス中の各加入者のためのトラフィックチャネル割り当てと、符号及び変調組み合わせとを判定し、前記ＯＦＤＭＡモデムが、前記トラフィックチャネル割り当てを変調して、前記トラフィックチャネル割り当ての変調されたバージョンを少なくとも１人の加入者に送ることを特徴とする、請求項３２に記載の装置。
【請求項３４】  前記広帯域空間チャネル推定が、基地局とアクセス中の各加入者との間の前記広帯域空間チャネルを含むことを特徴とする、請求項３２に記載の装置。
【請求項３５】  前記アクセス信号検出器及び復調器が、加入者によって送信されたアクセス信号を検出し、加入者からフィードバックされた前記測定されたチャネル情報と雑音及び干渉情報とを復調することを特徴とする、請求項３２に記載の装置。